(57)【要約】【課題】複数の通信方式で通信可能な携帯電話機において、通信履歴を用いて適切に発信できる携帯電話機を提供する。【解決手段】本発明かかる携帯電話機は、現在設定されている通信方式の情報である通信モードを確認し（Ｓ１０１）、通信を行なった相手先の電話番号と、その通信時の通信モードとを対応付けて記憶装置に格納する（Ｓ１０５，１０７）。このようにすることで、次回、その通信履歴を用いてダイヤル発信する際、そのときの通信モードと通信履歴に対応付けられている通信モードとを比較し、それらが一致しない場合には、通信履歴に適切な国番号を付加する、あるいは通信履歴から不要な国番号を削除する、などを行なって適切に発信することができる。【選択図】        図２
2005012269.tif 000002
【特許請求の範囲】
【請求項１】
複数の通信方式で通信可能な携帯電話機であって、
前記携帯電話機において通信時に設定されている通信方式を取得する第１の通信方法取得手段と、
前記通信を行なった履歴電話番号と、前記取得した前記通信時に設定されている通信方式とを対応付けて記憶装置に格納する格納手段とを備える、携帯電話機。
【請求項２】
前記履歴電話番号を用いてダイヤル発信する際に、前記携帯電話機において現在設定されている通信方式を取得する第２の通信方法取得手段と、
前記取得した現在設定されている通信方式と、前記通信履歴と対応付けられて前記記憶装置に格納されている前記通信時に設定されている通信方法とに基づいて、前記履歴電話番号を前記ダイヤル発信のために最適化する最適化手段とをさらに備える、請求項１に記載の携帯電話機。
【請求項３】
前記最適化手段は、前記取得した現在設定されている通信方式と、前記通信履歴と対応付けられて前記記憶装置に格納されている前記通信時に設定されている通信方法とが異なる場合であって、前記通信履歴番号に国番号が含まれていない場合に、前記通信履歴番号に発信先の国の国番号を付加する、請求項２に記載の携帯電話機。
【請求項４】
前記最適化手段は、前記発信先の国の国番号を、前記取得した現在設定されている通信方式と、前記通信履歴と対応付けられて前記記憶装置に格納されている前記通信時に設定されている通信方法と、前記通信履歴番号とに基づいて判断し、前記通信履歴番号に付加する、請求項３に記載の携帯電話機。
【請求項５】
前記最適化手段は、前記取得した現在設定されている通信方式と、前記通信履歴と対応付けられて前記記憶装置に格納されている前記通信時に設定されている通信方法とが異なる場合であって、前記通信履歴番号に現在の発信元である国の国番号が含まれる場合に、前記通信履歴番号から前記国番号を削除する、請求項２〜４のいずれかに記載の携帯電話機。
【請求項６】
複数の通信方式で通信可能であり、前記複数の通信方式の各々に対応した複数の自局側の電話番号を切替えて利用可能な携帯電話機であって、
前記携帯電話機において通信時に設定されている自局側の電話番号の情報である自局番号を取得する第１の自局番号取得手段と、
前記通信を行なった履歴電話番号と、前記取得した前記通信時に設定されている自局番号とを対応付けて記憶装置に格納する格納手段とを備える、携帯電話機。
【請求項７】
前記履歴電話番号を用いてダイヤル発信する際に、前記携帯電話機において現在設定されている自局番号を取得する第２の自局番号取得手段と、
前記取得した現在設定されている自局番号と、前記通信履歴と対応付けられて前記記憶装置に格納されている前記通信時に設定されている自局番号とに基づいて、前記履歴電話番号を前記ダイヤル発信のために最適化する最適化手段とをさらに備える、請求項６に記載の携帯電話機。
【請求項８】
前記最適化手段は、前記取得した現在設定されている自局番号と、前記通信履歴と対応付けられて前記記憶装置に格納されている前記通信時に設定されている自局番号とが異なる場合であって、前記通信履歴番号に国番号が含まれていない場合に、前記通信履歴番号に発信先の国の国番号を付加する、請求項７に記載の携帯電話機。
【請求項９】
前記最適化手段は、前記発信先の国の国番号を、前記取得した現在設定されている自局番号と、前記通信履歴と対応付けられて前記記憶装置に格納されている前記通信時に設定されている自局番号と、前記通信履歴番号とに基づいて判断し、前記通信履歴番号に付加する、請求項８に記載の携帯電話機。
【請求項１０】
前記最適化手段は、前記取得した現在設定されている自局番号と、前記通信履歴と対応付けられて前記記憶装置に格納されている前記通信時に設定されている自局番号とが異なる場合であって、前記通信履歴番号に現在の発信元である国の国番号が含まれる場合に、前記通信履歴番号から前記国番号を削除する、請求項７〜９のいずれかに記載の携帯電話機。
【請求項１１】
前記通信履歴番号は、前記携帯電話機から発信した発信先電話番号の履歴と、前記携帯電話機が着信した着信元電話番号の履歴との少なくとも一方を含む、請求項１〜１０のいずれかに記載の携帯電話機。
【請求項１２】
複数の通信方式で通信可能な携帯電話機の制御をコンピュータに実行させるプログラムであって、
前記携帯電話機において通信時に設定されている通信方式を取得する第１の通信方法取得ステップと、
前記通信を行なった履歴電話番号と、前記取得した前記通信時に設定されている通信方式とを対応付けて記憶装置に格納する格納ステップと実行させる、携帯電話機の制御プログラム。
【請求項１３】
前記履歴電話番号を用いてダイヤル発信する際に、前記携帯電話機において現在設定されている通信方式を取得する第２の通信方法取得ステップと、
前記取得した現在設定されている通信方式と、前記通信履歴と対応付けられて前記記憶装置に格納されている前記通信時に設定されている通信方法とに基づいて、前記履歴電話番号を前記ダイヤル発信のために最適化する最適化ステップとをさらに実行させる、請求項１２に記載の携帯電話機の制御プログラム。
【請求項１４】
複数の通信方式で通信可能であり、前記複数の通信方式の各々に対応した複数の自局側の電話番号を切替えて利用可能な携帯電話機の制御をコンピュータに実行させるプログラムであって、
前記携帯電話機において通信時に設定されている自局側の電話番号の情報である自局番号を取得する第１の自局番号取得ステップと、
前記通信を行なった履歴電話番号と、前記取得した前記通信時に設定されている自局番号とを対応付けて記憶装置に格納する格納ステップとを実行させる、携帯電話機の制御プログラム。
【請求項１５】
前記履歴電話番号を用いてダイヤル発信する際に、前記携帯電話機において現在設定されている自局番号を取得する第２の自局番号取得ステップと、
前記取得した現在設定されている自局番号と、前記通信履歴と対応付けられて前記記憶装置に格納されている前記通信時に設定されている自局番号とに基づいて、前記履歴電話番号を前記ダイヤル発信のために最適化する最適化ステップとをさらに実行させる、請求項１４に記載の携帯電話機の制御プログラム。
【発明の詳細な説明】
【０００１】
【発明の属する技術分野】
この発明は携帯電話機、および携帯電話機の制御プログラムに関し、特に、複数の通信方式で通信可能な携帯電話機において、通信履歴を用いて適切に発信できる携帯電話機、および携帯電話機の制御プログラムに関する。
【０００２】
【従来の技術】
携帯電話機で国内の通信網から海外に通信網へ乗入れ（国際ローミング）することで、国境のない自由なミュニケーションが実現されている。
【０００３】
そのような国内通信と海外通信との両方が可能な携帯電話機では、用いられる各国の通信方式に応じた複数の通信方式で通信可能に構成されており、現在用いられる国に応じた通信方式に切替えて通信を行なう。
【０００４】
具体的には、日本では通信方式としてＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が採用されており、欧州、アジア、北米などでは通信方式としてＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式が採用されている。
【０００５】
日本および欧州などで利用可能な携帯電話機は、Ｗ−ＣＤＭＡ方式とＧＳＭ方式との２種類の通信方式で通信可能に構成されており、現在用いられる国に応じてＷ−ＣＤＭＡ方式とＧＳＭ方式とを切替えて通信を行なう。
【０００６】
このような携帯電話機の技術については、たとえば特許文献１や特許文献２などで開示されており、すでに広く用いられている。さらに、特許文献１では、携帯電話機の記憶手段に保持されている国際電話識別番号と国番号とを含む電話番号に基づいて、発信元の国と発信先の国とが同一である場合に、その電話番号に含まれる国際電話識別番号と国番号とを自動的に削除することで、自動的に最適な通信を行なうことのできる方法について開示されている。
【０００７】
【特許文献１】
特開２００１−１１９７５０号公報
【０００８】
【特許文献２】
特開２００２−２４７２１３号公報
【０００９】
【発明が解決しようとする課題】
ところで、一般的な携帯電話機の使い方の１つとして、発信履歴や着信履歴を用いてその中から番号を選択してダイヤル発信を行なうといった使い方が広く用いられている。
【００１０】
そこで、たとえば上述の特許文献１に開示されている技術を採用した携帯電話機を用いて、利用者が欧州のＡ国内で国内通信を行なった後日本に帰国し、その通信履歴に基づいて日本からＡ国に国際通信を行なう場合、その履歴番号には国際番号が含まれていないので、正しくＡ国にダイヤル発信されないという事態が発生する。日本国内での国内通信の履歴を用いて、Ａ国から日本に国際通信を行なう場合にも同様の事態が発生する。
【００１１】
本発明はこのような問題に鑑みてなされたものであって、国内通信と海外通信との両方が可能な携帯電話機であって、通信履歴を用いて適切に発信することのできる携帯電話機、および携帯電話機の制御プログラムを提供することを目的とする。
【００１２】
【課題を解決するための手段】
上記目的を達成するために、本発明のある局面に従うと、携帯電話機は複数の通信方式で通信可能な携帯電話機であって、当該携帯電話機において通信時に設定されている通信方式を取得する第１の通信方法取得手段と、通信を行なった履歴電話番号と、取得した通信時に設定されている通信方式とを対応付けて記憶装置に格納する格納手段とを備える。
【００１３】
また、携帯電話機は、履歴電話番号を用いてダイヤル発信する際に、当該携帯電話機において現在設定されている通信方式を取得する第２の通信方法取得手段と、取得した現在設定されている通信方式と、通信履歴と対応付けられて記憶装置に格納されている通信時に設定されている通信方法とに基づいて、履歴電話番号をダイヤル発信のために最適化する最適化手段とをさらに備えることが好ましい。
【００１４】
さらに、最適化手段は、取得した現在設定されている通信方式と、通信履歴と対応付けられて記憶装置に格納されている通信時に設定されている通信方法とが異なる場合であって、通信履歴番号に国番号が含まれていない場合に、通信履歴番号に発信先の国の国番号を付加することが好ましい。
【００１５】
さらに、最適化手段は、発信先の国の国番号を、取得した現在設定されている通信方式と、通信履歴と対応付けられて記憶装置に格納されている通信時に設定されている通信方法と、通信履歴番号とに基づいて判断し、通信履歴番号に付加することがより好ましい。
【００１６】
また、最適化手段は、取得した現在設定されている通信方式と、通信履歴と対応付けられて記憶装置に格納されている通信時に設定されている通信方法とが異なる場合であって、通信履歴番号に現在の発信元である国の国番号が含まれる場合に、通信履歴番号から国番号を削除することが好ましい。
【００１７】
本発明の他の局面に従うと、携帯電話機は複数の通信方式で通信可能であり、複数の通信方式の各々に対応した複数の自局側の電話番号を切替えて利用可能な携帯電話機であって、当該携帯電話機において通信時に設定されている自局側の電話番号の情報である自局番号を取得する第１の自局番号取得手段と、通信を行なった履歴電話番号と、取得した通信時に設定されている自局番号とを対応付けて記憶装置に格納する格納手段とを備える。
【００１８】
また、携帯電話機は、履歴電話番号を用いてダイヤル発信する際に、当該携帯電話機において現在設定されている自局番号を取得する第２の自局番号取得手段と、取得した現在設定されている自局番号と、通信履歴と対応付けられて記憶装置に格納されている通信時に設定されている自局番号とに基づいて、履歴電話番号をダイヤル発信のために最適化する最適化手段とをさらに備える。
【００１９】
さらに、最適化手段は、取得した現在設定されている自局番号と、通信履歴と対応付けられて記憶装置に格納されている通信時に設定されている自局番号とが異なる場合であって、通信履歴番号に国番号が含まれていない場合に、通信履歴番号に発信先の国の国番号を付加することが好ましい。
【００２０】
さらに、最適化手段は、発信先の国の国番号を、取得した現在設定されている自局番号と、通信履歴と対応付けられて記憶装置に格納されている通信時に設定されている自局番号と、通信履歴番号とに基づいて判断し、通信履歴番号に付加することがより好ましい。
【００２１】
また、最適化手段は、取得した現在設定されている自局番号と、通信履歴と対応付けられて記憶装置に格納されている通信時に設定されている自局番号とが異なる場合であって、通信履歴番号に現在の発信元である国の国番号が含まれる場合に、通信履歴番号から国番号を削除することが好ましい。
【００２２】
また、上述の通信履歴番号は、携帯電話機から発信した発信先電話番号の履歴と、携帯電話機が着信した着信元電話番号の履歴との少なくとも一方を含むものであることが好ましい。
【００２３】
本発明のさらに他の局面に従うと、携帯電話機の制御プログラムは複数の通信方式で通信可能な携帯電話機の制御をコンピュータに実行させるプログラムであって、携帯電話機において通信時に設定されている通信方式を取得する第１の通信方法取得ステップと、通信を行なった履歴電話番号と、取得した通信時に設定されている通信方式とを対応付けて記憶装置に格納する格納ステップと実行させる。
【００２４】
また、携帯電話機の制御プログラムは、履歴電話番号を用いてダイヤル発信する際に、携帯電話機において現在設定されている通信方式を取得する第２の通信方法取得ステップと、取得した現在設定されている通信方式と、通信履歴と対応付けられて記憶装置に格納されている通信時に設定されている通信方法とに基づいて、履歴電話番号をダイヤル発信のために最適化する最適化ステップとをさらに実行させることが好ましい。
【００２５】
本発明のさらに他の局面に従うと、携帯電話機の制御プログラムは複数の通信方式で通信可能であり、複数の通信方式の各々に対応した複数の自局側の電話番号を切替えて利用可能な携帯電話機の制御をコンピュータに実行させるプログラムであって、携帯電話機において通信時に設定されている自局側の電話番号の情報である自局番号を取得する第１の自局番号取得ステップと、通信を行なった履歴電話番号と、取得した通信時に設定されている自局番号とを対応付けて記憶装置に格納する格納ステップとを実行させる。
【００２６】
また、携帯電話機の制御プログラムは、履歴電話番号を用いてダイヤル発信する際に、携帯電話機において現在設定されている自局番号を取得する第２の自局番号取得ステップと、取得した現在設定されている自局番号と、通信履歴と対応付けられて記憶装置に格納されている通信時に設定されている自局番号とに基づいて、履歴電話番号をダイヤル発信のために最適化する最適化ステップとをさらに実行させることが好ましい。
【００２７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２８】
図１は、本実施の形態にかかる移動端末装置である携帯電話機１００のハードウェア構成の具体例を示すブロック図である。図１を参照して、携帯電話機１００は、送受信用のアンテナ１と、Ｗ−ＣＤＭＡ通信部２と、ＧＳＭ通信部３と、通信制御部４と、送話用のマイクロホン５と、受話用のスピーカ６と、ＣＰＵ（Ｃｅｎｔｒａｌ  Ｐｒｏｃｅｓｓｉｎｇ  Ｕｎｉｔ）などから構成される制御部７と、ユーザとのインタフェースであって、ユーザが発信先電話番号や各種入力を行なう操作部８および発信先電話番号や各種入力の表示を行なう表示部９と、記憶装置であるＲＯＭ（Ｒｅａｄ  Ｏｎｌｙ  Ｍｅｍｏｒｙ）１０およびＲＡＭ（Ｒａｎｄｏｍ  Ａｃｃｅｓｓ  Ｍｅｍｏｒｙ）１１と、接続部１２とを含んで構成される。
【００２９】
Ｗ−ＣＤＭＡ通信部２は、日本国内での通信方式であるＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式で、基地局との間で通信信号の送受信を行なう。ＧＳＭ通信部３は、欧州、アジア、北米などでの通信方式であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式で、基地局との間で通信信号の送受信を行なう。
【００３０】
本実施の形態においては、便宜上、当該携帯電話機１００の契約を行なった国（以下、契約国という）における通信方式を国内モード、それ以外の国（以下、海外という）における通信方式を海外モードというものとし、日本が契約国である場合、国内モードはＷ−ＣＤＭＡ方式、海外モードはＧＳＭ方式であるとする。現在の通信モードが国内モードであるか海外モードであるかは、予め設定されており、その情報はＲＡＭ１１の所定領域に記憶されている。通信モードの設定は、本実施の形態においては、予めユーザが操作部８を構成する所定のキーなどを用いて行なうものとするが、制御部７が基地局から配信される通信信号を解析して自動的に判断し、設定してもよい。
【００３１】
Ｗ−ＣＤＭＡ通信部２およびＧＳＭ通信部３は、アンテナ１を介して受信した通信信号を、通信制御部４および制御部７に対して出力する。
【００３２】
通信制御部４は、Ｗ−ＣＤＭＡ通信部２およびＧＳＭ通信部３から入力された通信信号に所定の処理を施して音声信号に復調し、スピーカ６に対して出力する。また、通信制御部４は、マイクロホン５から入力された音声信号に所定の処理を施して通信信号に変調し、Ｗ−ＣＤＭＡ通信部２およびＧＳＭ通信部３に対して出力する。
【００３３】
制御部７は、ＲＯＭ１０に記憶されているプログラムを読出して実行することで、携帯電話機１００の各部を制御する。ＲＡＭ１１は、制御部７でプログラムを実行する際の作業領域となる。
【００３４】
接続部１２はＳＩＭ１３と制御部７とを電気的に接続するためのコネクタであって、御部７は、プログラムを実行する際に必要に応じて、接続部１２を介して、外部メモリであるＳＩＭ（Ｓｕｂｓｃｒｉｂｅｒ  Ｉｄｅｎｔｉｔｙ  Ｍｏｄｕｌｅ）（Ｕ（Ｕｓｅｒ）−ＳＩＭとも言われる）１３に記憶される所定の情報を読出す。
【００３５】
ＲＯＭ１０には、携帯電話機１００を動作させるためのプログラムや国番号や通信モードを示す情報（以下、通信モード情報という）などが記憶される。
【００３６】
外部メモリであるＳＩＭ１３には、携帯電話機１００の加入権情報である、自局側の電話番号である第１電話番号（たとえば国内で通信キャリアと契約し取得した番号）および第２電話番号（たとえば海外で通信キャリアと契約し取得した番号）などが記憶される。
【００３７】
一般に、携帯電話機と最寄の基地局とは、常に所定の間隔で通信を行なっており、携帯電話機から基地局に対して所定の加入権情報が送られている。これによって、基地局では、自身の通信範囲内に現在どのような携帯電話機が存在しているかを把握できる。また、基地局間でその情報を交換することによって、特定の携帯電話機がどの基地局の通信範囲内に存在しているかを把握することができる。また、携帯電話機で通信を行なう際には、通信信号に変調された音声信号と共に、自身の電話番号などの加入権情報も出力する。
【００３８】
本実施の形態において第１電話番号と第２電話番号とは通信モードと対応しており、本実施の携帯電話機１００では、ＳＩＭ１３に記憶されている第１電話番号と第２電話番号とのうち、いずれか一方の電話番号を現在の自局側の電話番号として採用する。すなわち、第１電話番号が国内で通信キャリアと契約し取得した番号（つまり国内での電話番号）である場合には通信モードが国内モードのときに自局側の電話番号として第１電話番号を採用し、第２電話番号が海外で通信キャリアと契約し取得した番号（つまり海外での電話番号）である場合には通信モードが海外モードのときに自局側の電話番号として第２電話番号を採用する。
【００３９】
携帯電話機１００において第１電話番号と第２電話番号とのいずれの電話番号を採用するかは、予め設定されており、その情報はＲＡＭ１１の所定領域に記憶されている。自局側の電話番号の設定は、本実施の形態においては、予めユーザが操作部８を構成する所定のキーなどを用いて行なうものとするが、制御部７が現在設定されている通信モードに基づいて自動的に判断し、設定してもよい。
【００４０】
ＲＡＭ（Ｒａｎｄｏｍ  Ａｃｃｅｓｓ  Ｍｅｍｏｒｙ）１１は、携帯電話機１００から発信した発信先電話番号（発信履歴）、携帯電話機１００が着信した着信元電話番号（着信履歴）、現在設定されている通信モード、および現在設定されている自局側の電話番号などを記憶する。なお、以下の説明において、これらの領域を発信履歴領域、着信履歴領域、通信モード領域、および自局番号領域と言う。
【００４１】
［第１の実施例］
本実施の形態の第１の実施例における携帯電話機１００での処理についてフローチャートを用いて説明する。第１の実施例においては、携帯電話機１００で、発信先電話番号を記憶する発信履歴登録処理と、発信履歴に基づいて通信を行なう発信履歴ダイヤル処理との２つの処理が実行される。
【００４２】
始めに、発信履歴登録処理について、履歴登録処理を示す図２のフローチャートを用いて説明する。図２のフローチャートに示される履歴登録処理は、携帯電話機１００の制御部７がＲＯＭ１０に記憶されるプログラムを読出してＲＡＭ１１上で展開して実行することで実現される。発信履歴登録処理は、ユーザが携帯電話機１００の操作部８を構成する数字キーを用いて発信先電話番号を入力した際に実行される処理である。
【００４３】
図２を参照して、始めに、制御部７は、ＲＡＭ１１の通信モード領域より、ユーザが予め設定している現在の通信モードを取得して確認する（Ｓ１０１）。ステップＳ１０１での処理は、制御部７が操作部８から発信先電話番号を受取ったときに実行されてもよいし、所定のタイミングで行なわれてもよい。
【００４４】
ステップＳ１０１で取得された現在の通信モードが海外モードである場合（１０３でＹＥＳ）、制御部７は、ＲＯＭ１０の所定領域から海外モードを示す通信モード情報を取得し、操作部８から受取った発信先電話番号と海外モードを示す通信モード情報とを対応付けてＲＡＭ１１の発信履歴領域に保存する（Ｓ１０５）。
【００４５】
また、ステップＳ１０１で取得された現在の通信モードが国内モードである場合（Ｓ１０３でＮＯ）、制御部７は、ＲＯＭ１０の所定領域から国内モードを示す通信モード情報を取得し、操作部８から受取った発信先電話番号と国内モードを示す通信モード情報とを対応付けてＲＡＭ１１の発信履歴領域に保存する（Ｓ１０７）。
【００４６】
以上の処理が実行されることで、携帯電話機１００のＲＡＭ１１の発信履歴領域には、発信先電話番号と共に、発信時の通信モードを示す通信モード情報が対応付けられて記憶される。なお、図３に、ＲＡＭ１１の発信履歴領域に保存される発信履歴の具体例を示す。図３に示される具体例においては、発信先電話番号と共に、発信日時と、発信時の通信モードを示す通信モード情報とが対応付けられて保存されており、ここでは、通信モード情報として国内モードであるＷ−ＣＤＭＡ方式を示す情報と、海外モードであるＧＳＭ方式を示す情報とが保存されている。もちろん、通信方式はこれらの方式に限定するものではない。
【００４７】
より詳しく図３に示される具体例を説明すると、行１１１に示される発信履歴は、その通信モードがＷ−ＣＤＭＡであって、発信先電話番号に国際番号が付加していないことより、契約国である日本から日本国内の相手に対して国内通信を行なった発信履歴を示している。また、行１１２に示される発信履歴は、その通信モードがＧＳＭであって、発信先電話番号に契約国である日本を示す国際番号（８１）が付加していることより、海外から日本国内の相手に対して国際通信を行なった発信履歴を示している。また、行１１３に示される発信履歴は、その通信モードがＧＳＭであって、発信先電話番号に国際番号が付加していないことより、海外から当該海外の相手に対して海外での国内通信を行なった発信履歴を示している。また、行１１４に示される発信履歴は、その通信モードがＷ−ＣＤＭＡであって、発信先電話番号に海外である英国を示す国際番号（４４）が付加していることより、契約国である日本から海外の相手に対して国際通信を行なった発信履歴を示している。
【００４８】
次に、発信履歴ダイヤル処理について、履歴ダイヤル処理を示す図４のフローチャートを用いて説明する。図４のフローチャートに示される履歴ダイヤル処理もまた、携帯電話機１００の制御部７がＲＯＭ１０に記憶されるプログラムを読出してＲＡＭ１１上で展開して実行することで実現される。発信履歴ダイヤル処理は、ユーザが、携帯電話機１００に記憶された発信履歴から、操作部８を構成する所定のキーを用いて所望の電話番号を選択して決定した際に実行される処理である。
【００４９】
図４を参照して、始めに、制御部７は、ＲＡＭ１１の通信モード領域より、ユーザが予め設定している現在の通信モードを取得して確認する（Ｓ２０１）。ここでの処理は、上述のステップＳ１０１での処理と同様である。
【００５０】
さらに、制御部７は、操作部８から受取った選択された発信先電話番号に対応付けられてＲＡＭ１１の発信履歴領域に保存されている通信モードを取得して確認する（Ｓ２０３）。すなわち、ステップＳ２０３では、前回その電話番号に発信した際の携帯電話機１００における通信モードを取得する。
【００５１】
ステップＳ２０１で取得した現在の通信モードとステップＳ２０３で取得した選択された発信先電話番号に対応付けられている通信モードとが一致している場合（Ｓ２０５でＹＥＳ）、制御部７は、ＲＡＭ１１の発信履歴領域に発信先電話番号として記憶されている電話番号をそのまま用いて、現在の通信モードに応じた通信部であるＷ−ＣＤＭＡ通信部２またはＧＳＭ通信部３においてダイヤル発信を実行させる（Ｓ２０７）。
【００５２】
一方、ステップＳ２０１で取得した現在の通信モードとステップＳ２０３で取得した選択された発信先電話番号に対応付けられている通信モードとが一致していない場合であって、ステップＳ２０１で取得した現在の通信モードが海外モードである場合には（Ｓ２０５でＮＯかつＳ２０９でＹＥＳ）、さらに、制御部７は選択された発信先電話番号に国際番号が含まれているか否かを確認する（Ｓ２１１）。ステップＳ２１１において、発信先電話番号に国際番号が含まれていることが確認された場合には（Ｓ２１１でＹＥＳ）、制御部７は、ＲＡＭ１１の発信履歴領域に発信先電話番号として記憶されている電話番号をそのまま用いてＧＳＭ通信部３においてダイヤル発信を実行させる（Ｓ２０７）。
【００５３】
ステップＳ２１１において、発信先電話番号に国際番号が含まれていないことが確認された場合には（Ｓ２１１でＮＯ）、制御部７はＲＯＭ１０の所定領域から契約国である日本の国際番号を取得し、ＲＡＭ１１の発信履歴領域に発信先電話番号として記憶されている電話番号に日本の国際番号を付加して最適化し、ＧＳＭ通信部３において最適化された電話番号でダイヤル発信を実行させる（Ｓ２１３）。
【００５４】
さらに、ステップＳ２０１で取得した現在の通信モードとステップＳ２０３で取得した選択された発信先電話番号に対応付けられている通信モードとが一致していない場合であって、ステップＳ２０１で取得した現在の通信モードが国内モードである場合には（Ｓ２０５でＮＯかつＳ２０９でＮＯ）、制御部７は、選択された発信先電話番号に契約国である日本の国際番号が含まれているか否かを確認する（Ｓ２１５）。
【００５５】
ステップＳ２１５において、発信先電話番号に日本の国際番号が含まれていないことが確認された場合には（Ｓ２１５でＮＯ）、制御部７はＲＯＭ１０の所定領域から契約国である日本以外の国の国際番号を取得して表示部９に図示しない国際番号選択画面を表示し、発信先電話番号に付加する国際番号の選択を受付ける（Ｓ２１７）。そして、操作部８から国際番号の選択を受付けると、制御部７はＲＡＭ１１の発信履歴領域に記憶されている発信先電話番号にその国際番号を付加して最適化し、Ｗ−ＣＤＭＡ通信部２において最適化された電話番号でダイヤル発信を実行させる（Ｓ２１９）。
【００５６】
なお、ステップＳ２１７において、国際番号を付加しないという選択を受付けてもよい。その場合、ステップＳ２１９では、その選択に応じてＲＡＭ１１の発信履歴領域に記憶されている発信先電話番号をそのまま用いて、Ｗ−ＣＤＭＡ通信部２においてダイヤル発信を実行させる。
【００５７】
ステップＳ２１５において、発信先電話番号に契約国である日本の国際番号が含まれていることが確認された場合には（Ｓ２１５でＹＥＳ）、制御部７はＲＡＭ１１の発信履歴領域に記憶されている発信先電話番号から、含まれている日本の国際番号を削除して最適化し、Ｗ−ＣＤＭＡ通信部２において最適化された電話番号でダイヤル発信を実行させる（Ｓ２２１）。
【００５８】
以上の処理が実行されることで、携帯電話機１００のＲＡＭ１１の発信履歴領域に記憶されている発信履歴から所望する電話番号を選択すると、自動的に最適な通信モードでダイヤル発信が実行される。
【００５９】
以下に、ＲＡＭ１１の発信履歴領域に保存される発信履歴が図３に示された発信履歴である場合を例に、より具体的に上述の処理を説明する。
【００６０】
今、国内モードがＷ−ＣＤＭＡである契約国「日本」において当該発信履歴ダイヤル処理を実行しているとして、発信先電話番号として図３の行１１１に示される発信先電話番号または行１１４に示される発信先電話番号を選択した場合、上述のステップＳ２０５では、現在の通信モード（Ｗ−ＣＤＭＡ）と選択された発信先電話番号に対応付けられている通信モード（Ｗ−ＣＤＭＡ）とが一致していることが確認される。すなわち、この処理によって、発信履歴に登録された前回の発信の際にも、今回と同様に契約国である日本から発信していることが確認される。そのため、ステップＳ２０７の処理が実行されて、ＲＡＭ１１の発信履歴領域に保存されているそのままの発信先電話番号でダイヤル発信が実行される。
【００６１】
国内モードがＷ−ＣＤＭＡである契約国「日本」において当該発信履歴ダイヤル処理を実行しているとして、発信先電話番号として図３の行１１２に示される発信先電話番号を選択した場合、上述のステップＳ２０５では、現在の通信モード（Ｗ−ＣＤＭＡ）と選択された発信先電話番号に対応付けられている通信モード（ＧＳＭ）とが不一致であって、ステップＳ２１５では、当該発信先電話番号に契約国「日本」の国際番号（８１）が含まれていることが確認される。すなわち、この処理によって、発信履歴に登録された前回の発信の際に海外から契約国である日本に対して国際通信が行なわれたことが確認される。今回は、契約国「日本」国内での通信を行なうので、発信先電話番号に契約国「日本」の国際番号（８１）が不要となる。そのため、ステップＳ２２１の処理が実行されて、ＲＡＭ１１の発信履歴領域に保存されている発信先電話番号から契約国「日本」の国際番号（８１）が自動的に削除され、日本の国内番号でダイヤル発信が実行される。
【００６２】
国内モードがＷ−ＣＤＭＡである契約国「日本」において当該発信履歴ダイヤル処理を実行しているとして、発信先電話番号として図３の行１１３に示される発信先電話番号を選択した場合、上述のステップＳ２０５では、現在の通信モード（Ｗ−ＣＤＭＡ）と選択された発信先電話番号に対応付けられている通信モード（ＧＳＭ）とが不一致であって、ステップＳ２１５では、当該発信先電話番号に契約国「日本」の国際番号（８１）が含まれていないことが確認される。すなわち、この処理によって、発信履歴に登録された前回の発信の際、海外において国内通信が行なわれたことが確認される。今回は、契約国「日本」からその海外に対して国際通信を行なうので、発信先電話番号にその海外を示す国際番号が必要となる。そのため、ステップＳ２１７の処理が実行されて、その海外を示す国際番号の選択をユーザから受付ける。そして、ステップＳ２１９の処理が実行されて、ＲＡＭ１１の発信履歴領域に保存されている発信先電話番号に選択された国際番号が自動的に付加され、日本からその海外に対する国際番号でダイヤル発信が実行される。
【００６３】
海外モードがＧＳＭである海外において当該発信履歴ダイヤル処理を実行しているとして、発信先電話番号として図３の行１１１に示される発信先電話番号を選択した場合、上述のステップＳ２０５では、現在の通信モード（ＧＳＭ）と選択された発信先電話番号に対応付けられている通信モード（Ｗ−ＣＤＭＡ）とが不一致であって、ステップＳ２１１では、当該発信先電話番号に国際番号が含まれていないことが確認される。すなわち、この処理によって、発信履歴に登録された前回の発信の際、契約国である日本において国内通信が行なわれたことが確認される。今回は、海外から契約国「日本」に対して国際通信を行なうので、発信先電話番号に契約国「日本」を示す国際番号（８１）が必要となる。そのため、ステップＳ２１３の処理が実行されて、ＲＡＭ１１の発信履歴領域に保存されている発信先電話番号に選択された国際番号（８１）が自動的に付加され、海外から日本に対する国際番号でダイヤル発信が実行される。
【００６４】
海外モードがＧＳＭである海外において当該発信履歴ダイヤル処理を実行しているとして、発信先電話番号として図３の行１１４に示される発信先電話番号を選択した場合、上述のステップＳ２０５では、現在の通信モード（ＧＳＭ）と選択された発信先電話番号に対応付けられている通信モード（Ｗ−ＣＤＭＡ）とが不一致であって、ステップＳ２１１では、当該発信先電話番号に国際番号が含まれていることが確認される。すなわち、この処理によって、発信履歴に登録された前回の発信の際、契約国である日本から、今回と同様に海外に対して国際通信が行なわれたことが確認される。そのため、ステップＳ２０７の処理が実行されて、ＲＡＭ１１の発信履歴領域に保存されているそのままの発信先電話番号でダイヤル発信が実行される。なお、ここでの処理において、現在の「海外」が発信履歴に登録されている前回の通信先である「海外」と同じ国である場合もあり得る。すなわち、当該海外における国内通信を行なう場合もあり得る。そこで、ここではステップＳ２０７の処理に替えて、ステップＳ２１７と同様の処理を行なって国際番号の選択を受付け、当該海外における国内通信であるか否かを確認することも好ましい。そして、当該海外における国内通信であることが確認された場合には、ＲＡＭ１１の発信履歴領域に保存されている発信先電話番号から当該海外を示す国際番号を自動的に削除し、当該海外の国内番号でダイヤル発信を実行することがより好ましい。
【００６５】
本発明にかかる携帯電話機において上述の発信履歴登録処理および発信履歴ダイヤル処理が実行されることによって、ユーザが発信履歴から所望の電話番号を選択して発信を行なった場合に、その発信履歴に記憶される以前の発信先電話番号が最適化され、ダイヤル発信が実行される。これによって、ユーザは、発信履歴に記憶される発信先電話番号に現在の通信に最適な国際電話番号が含まれているか否かを考えることなく、発信履歴から所望の発信先電話番号を選択するだけで、自動的に最適なダイヤル発信を実現することができる。
【００６６】
［第２の実施例］
本実施の形態の第２の実施例における携帯電話機１００での処理について説明する。第２の実施例においては、携帯電話機１００で、着信元電話番号を記憶する着信履歴登録処理と、着信履歴に基づいて通信を行なう着信履歴ダイヤル処理との２つの処理が実行される。
【００６７】
始めに、着信履歴登録処理について、履歴登録処理を示す図２のフローチャートを用いて説明する。着信履歴登録処理は、携帯電話機１００がアンテナ１を介してＷ−ＣＤＭＡ通信部２またはＧＳＭ通信部３が通信信号を受信し、制御部７がＷ−ＣＤＭＡ通信部２またはＧＳＭ通信部３から通信信号に含まれる着信元電話番号の情報を受信したときに実行される。
【００６８】
図２を参照して、始めに、制御部７は、第１の実施例における発信履歴登録処理と同様に、ステップＳ１０１で、ＲＡＭ１１の通信モード領域より、ユーザが予め設定している現在の通信モードを取得して確認する。
【００６９】
ステップＳ１０１で取得された現在の通信モードが海外モードである場合（１０３でＹＥＳ）、制御部７は、ＲＯＭ１０の所定領域から海外モードを示す通信モード情報を取得し、ＧＳＭ通信部３から受取った着信元電話番号と海外モードを示す通信モード情報とを対応付けてＲＡＭ１１の着信履歴領域に保存する（Ｓ１０５）。
【００７０】
また、ステップＳ１０１で取得された現在の通信モードが国内モードである場合（Ｓ１０３でＮＯ）、制御部７は、ＲＯＭ１０の所定領域から国内モードを示す通信モード情報を取得し、Ｗ−ＣＤＭＡ通信部２から受取った着信元電話番号と国内モードを示す通信モード情報とを対応付けてＲＡＭ１１の着信履歴領域に保存する（Ｓ１０７）。
【００７１】
以上の処理が実行されることで、携帯電話機１００のＲＡＭ１１の着信履歴領域には、着信元電話番号と共に、着信時の通信モードを示す通信モード情報が対応付けられて記憶される。具体的にＲＡＭ１１の着信履歴領域には、図３に示される発信履歴領域に保存される発信履歴の具体例と同様の着信履歴が保存される。すなわち、図３に示されるように、ＲＡＭ１１の着信履歴領域には、発信日時に替えて着信日時、および発信先電話番号に替えて着信元電話番号が、着信時の通信モードと対応付けられて保存される。
【００７２】
次に、着信履歴ダイヤル処理について、履歴ダイヤル処理を示す図４のフローチャートを用いて説明する。着信履歴ダイヤル処理は、ユーザが、携帯電話機１００に記憶された着信履歴から、操作部８を構成する所定のキーを用いて所望の電話番号を選択して発信先電話番号として決定した際に実行される処理である。
【００７３】
図４を参照して、始めに、制御部７は、第１の実施例における発信履歴ダイヤル処理と同様に、ＲＡＭ１１の通信モード領域より、ユーザが予め設定している現在の通信モードを取得して確認する（Ｓ２０１）。
【００７４】
さらに、制御部７は、操作部８から受取った発信先電話番号として選択された着信元電話番号に対応付けられてＲＡＭ１１の着信履歴領域に保存されている通信モードを取得して確認する（Ｓ２０３）。すなわち、ステップＳ２０３では、前回その電話番号から着信した際の携帯電話機１００における通信モードを取得する。
【００７５】
ステップＳ２０１で取得した現在の通信モードとステップＳ２０３で取得した選択された着信元電話番号に対応付けられている通信モードとが一致している場合（Ｓ２０５でＹＥＳ）、制御部７は、ＲＡＭ１１の着信履歴領域に着信元電話番号として記憶されている電話番号をそのまま用いて、現在の通信モードに応じた通信部であるＷ−ＣＤＭＡ通信部２またはＧＳＭ通信部３においてダイヤル発信を実行させる（Ｓ２０７）。
【００７６】
一方、ステップＳ２０１で取得した現在の通信モードとステップＳ２０３で取得した選択された着信元電話番号に対応付けられている通信モードとが一致していない場合であって、ステップＳ２０１で取得した現在の通信モードが海外モードである場合には（Ｓ２０５でＮＯかつＳ２０９でＹＥＳ）、さらに、制御部７は選択された着信元電話番号に国際番号が含まれているか否かを確認する（Ｓ２１１）。ステップＳ２１１において、着信元電話番号に国際番号が含まれていることが確認された場合には（Ｓ２１１でＹＥＳ）、制御部７は、ＲＡＭ１１の着信履歴領域に着信元電話番号として記憶されている電話番号をそのまま用いてＧＳＭ通信部３においてダイヤル発信を実行させる（Ｓ２０７）。
【００７７】
ステップＳ２１１において、着信元電話番号に国際番号が含まれていないことが確認された場合には（Ｓ２１１でＮＯ）、制御部７はＲＯＭ１０の所定領域から契約国である日本の国際番号を取得し、ＲＡＭ１１の着信履歴領域に着信元電話番号として記憶されている電話番号に日本の国際番号を付加して最適化し、ＧＳＭ通信部３において最適化された電話番号でダイヤル発信を実行させる（Ｓ２１３）。
【００７８】
さらに、ステップＳ２０１で取得した現在の通信モードとステップＳ２０３で取得した選択された着信元電話番号に対応付けられている通信モードとが一致していない場合であって、ステップＳ２０１で取得した現在の通信モードが国内モードである場合には（Ｓ２０５でＮＯかつＳ２０９でＮＯ）、制御部７は、選択された着信元電話番号に契約国である日本の国際番号が含まれているか否かを確認する（Ｓ２１５）。
【００７９】
ステップＳ２１５において、着信元電話番号に日本の国際番号が含まれていないことが確認された場合には（Ｓ２１５でＮＯ）、制御部７はＲＯＭ１０の所定領域から契約国である日本以外の国の国際番号を取得して表示部９に図示しない国際番号選択画面を表示し、着信元電話番号に付加する国際番号の選択を受付ける（Ｓ２１７）。そして、操作部８から国際番号の選択を受付けると、制御部７はＲＡＭ１１の着信履歴領域に記憶されている着信元電話番号にその国際番号を付加して最適化し、Ｗ−ＣＤＭＡ通信部２において最適化された電話番号でダイヤル発信を実行させる（Ｓ２１９）。
【００８０】
なお、ステップＳ２１７において、国際番号を付加しないという選択を受付けてもよい。その場合、ステップＳ２１９では、その選択に応じてＲＡＭ１１の着信履歴領域に記憶されている着信元電話番号をそのまま用いて、Ｗ−ＣＤＭＡ通信部２においてダイヤル発信を実行させる。
【００８１】
ステップＳ２１５において、着信元電話番号に契約国である日本の国際番号が含まれていることが確認された場合には（Ｓ２１５でＹＥＳ）、制御部７はＲＡＭ１１の着信履歴領域に記憶されている着信元電話番号から、含まれている日本の国際番号を削除して最適化し、Ｗ−ＣＤＭＡ通信部２において最適化された電話番号でダイヤル発信を実行させる（Ｓ２２１）。
【００８２】
以上の処理が実行されることで、携帯電話機１００のＲＡＭ１１の着信履歴領域に記憶されている着信履歴から所望する電話番号を選択すると、自動的に最適な通信モードでダイヤル発信が実行される。
【００８３】
本発明にかかる携帯電話機において上述の着信履歴登録処理および着信履歴ダイヤル処理が実行されることによって、ユーザが着信履歴から所望の電話番号を選択して発信を行なった場合に、その着信履歴に記憶される以前の着信元電話番号が最適化され、ダイヤル発信が実行される。これによって、ユーザは、着信履歴に記憶される着信元電話番号に現在の通信に最適な国際電話番号が含まれているか否かを考えることなく、着信履歴から所望の電話番号を発信先電話番号として選択するだけで、自動的に最適なダイヤル発信を実現することができる。
【００８４】
本発明にかかる携帯電話機では、上述の第１の実施例と第２の実施例とのいずれか一方のみを実施させてもよいし、第１の実施例と第２の実施例とを組合せて実施させてもよい。
【００８５】
［変形例］
上述のように、ＳＩＭ１３に記憶されている第１電話番号および第２電話番号は、通信モードと対応している。そこで、変形例において携帯電話機１００は、上述の履歴登録処理および履歴ダイヤル処理において、通信モードに替えて自局側の電話番号を用いた処理を行なう。
【００８６】
始めに、変形例における履歴登録処理について、図５のフローチャートを用いて説明する。図５のフローチャートに示される履歴登録処理もまた、携帯電話機１００の制御部７がＲＯＭ１０に記憶されるプログラムを読出してＲＡＭ１１上で展開して実行することで実現される。変形例における履歴登録処理は、携帯電話機１００から発信を行なう際に実行されてもよいし、着信した際に実行されてもよいし、その両方で実行されてもよい。
【００８７】
図５を参照して、始めに、制御部７は、ＲＡＭ１１の自局番号領域より、ユーザが予め設定している現在の自局側の電話番号を取得して確認する（Ｓ３０１）。ステップＳ３０１での処理は上述のステップＳ１０１での処理と同様であって、制御部７が操作部８から発信先電話番号を受取ったとき、もしくは、Ｗ−ＣＤＭＡ通信部２またはＧＳＭ通信部３から通信信号に含まれる着信元電話番号の情報を受信したときに実行されてもよいし、所定のタイミングで行なわれてもよい。
【００８８】
そして、ステップＳ３０５またはステップＳ３０７では、発信先電話番号または着信元電話番号と、ステップＳ３０１で取得された現在設定されている自局側の電話番号とを対応付けて、ＲＡＭ１１の発信履歴領域または着信履歴領域に保存する。すなわち、ステップＳ３０１での確認の結果、現在設定されている自局側の電話番号が第１電話番号である場合には（Ｓ３０３でＹＥＳ）、ステップＳ３０５において、発信先電話番号または着信元電話番号と第１電話番号、もしくは第１電話番号を示す情報とを対応付けてＲＡＭ１１の発信履歴領域または着信履歴領域に保存する。また、ステップＳ３０１での確認の結果、現在設定されている自局側の電話番号が第２電話番号である場合には（Ｓ３０３でＮＯ）、ステップＳ３０７において、発信先電話番号または着信元電話番号と第２電話番号、もしくは第２電話番号を示す情報とを対応付けてＲＡＭ１１の発信履歴領域または着信履歴領域に保存する。
【００８９】
以上の処理が実行されることで、携帯電話機１００のＲＡＭ１１の発信履歴領域または着信履歴領域には、発信先電話番号または着信元電話番号と共に、発信時または着信時に設定されていた自局側の電話番号、または自局側の電話番号を示す情報が対応付けられて記憶される。
【００９０】
次に、変形例における履歴ダイヤル処理について、図６のフローチャートを用いて説明する。図４のフローチャートに示される履歴ダイヤル処理もまた、携帯電話機１００の制御部７がＲＯＭ１０に記憶されるプログラムを読出してＲＡＭ１１上で展開して実行することで実現される。変形例における履歴ダイヤル処理は、ユーザが、携帯電話機１００に記憶された発信履歴および／または着信履歴から、操作部８を構成する所定のキーを用いて所望の発信先電話番号または着信元電話番号（以下、これらをまとめて履歴電話番号と称することとする）を選択して発信先電話番号として決定した際に実行される処理である。
【００９１】
図６を参照して、始めに、制御部７は、ＲＡＭ１１の自局番号領域より、ユーザが予め設定している現在の自局側の電話番号を取得して確認する（Ｓ４０１）。
【００９２】
さらに、制御部７は、操作部８から受取った発信先電話番号として選択された履歴電話番号に対応付けられてＲＡＭ１１の着信履歴領域または着信履歴領域（以下、これらをまとめて履歴領域と称することとする）に保存されている自局側の電話番号を取得して確認する（Ｓ４０３）。すなわち、ステップＳ４０３では、前回その電話番号から発信または着信した際の自局側の電話番号を取得する。
【００９３】
ステップＳ４０１で取得した現在の自局側の電話番号とステップＳ４０３で取得した選択された履歴電話番号に対応付けられている自局側の電話番号とが一致している場合（Ｓ４０５でＹＥＳ）、制御部７は、ＲＡＭ１１の履歴領域に記憶されている履歴電話番号をそのまま用いて、現在の通信モードに応じた通信部であるＷ−ＣＤＭＡ通信部２またはＧＳＭ通信部３においてダイヤル発信を実行させる（Ｓ４０７）。
【００９４】
一方、ステップＳ４０１で取得した現在の自局側の電話番号とステップＳ４０３で取得した選択された履歴電話番号に対応付けられている自局側の電話番号とが一致していない場合であって、ステップＳ４０１で取得した現在の自局側の電話番号が海外モードと対応している電話番号（第２電話番号）である場合には（Ｓ４０５でＮＯかつＳ４０９でＹＥＳ）、さらに、制御部７は選択された履歴電話番号に国際番号が含まれているか否かを確認する（Ｓ４１１）。ステップＳ４１１において、履歴電話番号に国際番号が含まれていることが確認された場合には（Ｓ４１１でＹＥＳ）、制御部７は、ＲＡＭ１１の履歴領域に履歴電話番号として記憶されている電話番号をそのまま用いてＧＳＭ通信部３においてダイヤル発信を実行させる（Ｓ４０７）。
【００９５】
ステップＳ４１１において、履歴電話番号に国際番号が含まれていないことが確認された場合には（Ｓ４１１でＮＯ）、制御部７はＲＯＭ１０の所定領域から契約国である日本の国際番号を取得し、ＲＡＭ１１の履歴領域に履歴電話番号として記憶されている電話番号に日本の国際番号を付加して最適化し、ＧＳＭ通信部３において最適化された電話番号でダイヤル発信を実行させる（Ｓ４１３）。
【００９６】
さらに、ステップＳ４０１で取得した現在の自局側の電話番号とステップＳ４０３で取得した選択された履歴電話番号に対応付けられている自局側の電話番号とが一致していない場合であって、ステップＳ４０１で取得した現在の自局側の電話番号が国内モードに対応している電話番号（第１電話番号）である場合には（Ｓ４０５でＮＯかつＳ４０９でＮＯ）、制御部７は、選択された履歴電話番号に契約国である日本の国際番号が含まれているか否かを確認する（Ｓ４１５）。
【００９７】
ステップＳ４１５において、履歴電話番号に日本の国際番号が含まれていないことが確認された場合には（Ｓ４１５でＮＯ）、制御部７はＲＯＭ１０の所定領域から契約国である日本以外の国の国際番号を取得して表示部９に図示しない国際番号選択画面を表示し、履歴電話番号に付加する国際番号の選択を受付ける（Ｓ４１７）。そして、操作部８から国際番号の選択を受付けると、制御部７はＲＡＭ１１の履歴領域に記憶されている履歴電話番号にその国際番号を付加して最適化し、Ｗ−ＣＤＭＡ通信部２において最適化された電話番号でダイヤル発信を実行させる（Ｓ４１９）。
【００９８】
ステップＳ４１５において、履歴電話番号に契約国である日本の国際番号が含まれていることが確認された場合には（Ｓ４１５でＹＥＳ）、制御部７はＲＡＭ１１の履歴領域に記憶されている履歴電話番号から、含まれている日本の国際番号を削除して最適化し、Ｗ−ＣＤＭＡ通信部２において最適化された電話番号でダイヤル発信を実行させる（Ｓ４２１）。
【００９９】
以上の処理が実行されることでも、携帯電話機１００のＲＡＭ１１の履歴領域に記憶されている履歴電話番号から所望する電話番号を選択すると、自動的に最適な通信モードでダイヤル発信が実行される。
【０１００】
さらに、上述の携帯電話機１００での履歴登録方法および履歴ダイヤル方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−ＲＯＭ）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０１】
提供されるプログラム製品は、ハードディスクなどのプログラム格納部にインストールされて実行される。なお、プログラム製品は、プログラム自体と、プログラムが記録された記録媒体とを含む。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】携帯電話機１００のハードウェア構成の具体例を示すブロック図である。
【図２】履歴登録処理を示すフローチャートである。
【図３】ＲＡＭ１１の発信履歴領域に保存される発信履歴の具体例を示す図である。
【図４】履歴ダイヤル処理を示すフローチャートである。
【図５】変形例における履歴登録処理を示すフローチャートである。
【図６】変形例における履歴ダイヤル処理を示すフローチャートである。
【符号の説明】
１  アンテナ、２  Ｗ−ＣＤＭＡ通信部、３  ＧＳＭ通信部、４  通信制御部、５  マイクロホン、６  スピーカ、７  制御部、８  操作部、９  表示部、１０  ＲＯＭ、１１  ＲＡＭ、１２  接続部、１３  ＳＩＭ、１００  携帯電話機。
【図１】
2005012269.tif 000003
【図２】
2005012269.tif 000004
【図３】
2005012269.tif 000005
【図４】
2005012269.tif 000006
【図５】
2005012269.tif 000007
【図６】
2005012269.tif 000008